(57)【要約】  【課題】島型配置した複数の天板付家具を使用するユーザ間で好適に共用できる机上棚を実現する。  【解決手段】天板付家具Ｄの天板２上に設置し得るものであって、天板２より浮上した高さ位置に支持される棚板３１と、前記棚板３１の前端縁に沿って設けられ棚板３１の幅寸法よりも短小な幅をなす前面材３２と、前記棚板３１の後端側に沿って設けられ棚板３１の幅寸法よりも短小な幅をなしなおかつ一部または全部が前記前面材３２と正面視重なり合わないように位置づけられている後面材３３とを具備する机上棚３を構成した。  【選択図】図４
2006095176.tif 000002
【特許請求の範囲】
【請求項１】
天板付家具の天板上に設置し得るものであって、
天板付家具の天板より浮上した高さ位置に支持され、この天板との間の間隙を奥行方向に連通している棚板と、
前記棚板の前端縁に沿って設けられ、棚板の幅寸法よりも短小な幅をなす前面材と、
前記棚板の後端側に沿って設けられ、棚板の幅寸法よりも短小な幅をなし、かつ一部または全部が前記前面材と正面視重なり合わないように位置づけられている後面材と
を具備してなる机上棚。
【請求項２】
前記前面材及び前記後面材が不透明な直立板である請求項１記載の机上棚。
【請求項３】
左右両側に対をなす側脚によって前記棚板が支持されている請求項１または２記載の机上棚。
【請求項４】
前記側脚、前記前面材及び前記後面材のそれぞれの上端が概略同じ高さ位置に設定されている請求項３記載の机上棚。
【請求項５】
前記棚板上の所定高さ範囲の領域が前記前面材及び前記後面材により幅方向の略全域に亘って正面視遮蔽されている請求項１、２、３または４記載の机上棚。
【請求項６】
前記前面材または前記後面材に着脱自在に取り付けられる少なくとも一の仕切板をさらに具備する請求項１、２、３、４または５記載の机上棚。
【請求項７】
前記棚板の下面に着脱自在に取り付けられる少なくとも一のオプション品をさらに具備する請求項１、２、３、４、５または６記載の机上棚。
【請求項８】
前記オプション品が給電コードのプラグが差し込まれるコンセントである請求項７記載の机上棚。
【請求項９】
前記オプション品が通信ケーブルのプラグが差し込まれるコネクタである請求項７記載の机上棚。
【請求項１０】
前記オプション品が抽斗である請求項７記載の机上棚。
【発明の詳細な説明】
【技術分野】
【０００１】
本発明は、デスク等の天板上に設置可能な机上棚に関する。
【背景技術】
【０００２】
デスク等の天板上に棚を設置することは従来より行われている。例えば、下記特許文献には、天板の直上に複数段の棚を構築したデスクが開示されている。このような棚は、通常、天板の後端部に位置づけられる。
【特許文献１】特開２０００−１０２４２３号公報
【発明の開示】
【発明が解決しようとする課題】
【０００３】
天板上に設置される棚は、種々の物品を収納する機能を提供する反面、天板上の利用可能な作業領域を圧迫してしまうというデメリットをもたらす。特に、天板の奥行寸法が比較的短小な場合には少なからず問題となる。また、オフィス等では、複数のデスクをいわゆる島型配置によって集合させていることが多い。島型配置では、少なくとも二基のデスクの天板の後端縁同士を突き合わせた状態に配置するが、これらデスクの各々に個別の棚を設置していればその分だけ天板上の作業領域が狭められてしまう。デスクと同数の棚を設置しなければならないほど収納すべき物品が多量に存在していない状況下では、棚が徒に作業領域を圧迫する無用の長物と成り下がり、不合理なコストの増大の要因となる。
【０００４】
以上に鑑みてなされた本発明は、複数の天板付家具を島型配置するに際し、これら天板付家具を使用するユーザ間で好適に共用できる机上棚を実現しようとするものである。
【課題を解決するための手段】
【０００５】
上述した課題を解決するべく、本発明では、天板付家具の天板上に設置し得るものであって、天板付家具の天板より浮上した高さ位置に支持されこの天板との間の間隙を奥行方向に連通している棚板と、前記棚板の前端縁に沿って設けられ、棚板の幅寸法よりも短小な幅をなす前面材と、前記棚板の後端側に沿って設けられ、棚板の幅寸法よりも短小な幅をなし、かつ一部または全部が前記前面材と正面視重なり合わないように位置づけられている後面材とを具備する机上棚を構成した。このようなものであれば、棚板に前後両方向より物品を載置することができる。しかも、前方より机上棚を使用するユーザの占有領域と、後方より机上棚を使用するユーザの占有領域とを、前面材及び後面材によって区画することが可能である。つまり、前面材によって遮蔽されない部位を前方より使用する領域とし、後面材によって遮蔽されない部位を後方より使用する領域とすることができる。従って、二基の天板付家具の天板を突き合わせて対向配置し、その境界に当該机上棚を設置することで、複数のユーザが好適に共用し得るものとなる。そして、二基の天板付家具の各々に個別の机上棚を設置する必要性から解放されるため、天板上の作業領域をより広く確保することが可能となる。並びに、棚板の直下にある空間領域を連通しているため、この空間領域を有効利用できる。例えば、コード類（給電コード、通信ケーブル等）を配線するために利用でき、あるいは、オプション品を配設するために利用できる。
【０００６】
前記前面材及び前記後面材が不透明な直立板であるならば、これら前面材及び後面材がユーザの視線を遮るデスクトップパネルとしての役割をも果たし得る。
【０００７】
左右両側に対をなす側脚によって前記棚板を支持させていれば、無理なく棚板下の空間領域を奥行方向に連通させることができる。
【０００８】
前記側脚、前記前面材及び前記後面材のそれぞれの上端が概略同じ高さ位置に設定されていれば、家具としての格調が保たれて好ましい。
【０００９】
前記棚板上の所定高さ範囲の領域が前記前面材及び前記後面材により幅方向の略全域に亘って正面視遮蔽されているならば、机上棚自体がデスクトップパネルとしても十分に機能するものとなり、別途デスクトップパネルを天板付家具に実装する必要がなくなる。
【００１０】
棚としての有用性をさらに高めるためには、前記前面材または前記後面材に着脱自在に取り付けられる少なくとも一の仕切板を具備することが望ましい。
【００１１】
また、前記棚板の下面に着脱自在に取り付けられる少なくとも一のオプション品をさらに具備するものであれば、オプション品に応じた機能を机上棚に付帯させることが可能となり、天板付家具自体にオプション機能を実装せずともよくなる。このことは、天板付家具自体の製造コストを低減するためにも有効である。オプション品の具体例としては、給電コードのプラグが差し込まれるコンセント、通信ケーブルのプラグが差し込まれるコネクタ（または、モジュラージャック）、抽斗等を挙げることができる。
【発明の効果】
【００１２】
本発明によれば、島型配置した天板付家具を使用するユーザ間で好適に共用できる机上棚が実現される。
【発明を実施するための最良の形態】
【００１３】
以下、本発明の一実施形態を、図面を参照して説明する。なお、説明中、棚板３１の長手方向を幅（左右）方向、短手方向を奥行（前後）方向と定義している。
【００１４】
本実施形態の机上棚３を、図１ないし図３に示す。この机上棚３は、天板付家具たるデスクＤの天板２上に設置し得るものであって、棚板３１と、棚板３１の左右両側を支持する側板３４と、棚板３１の前端縁に沿って設けた前面材３２と、棚板３１の後端縁に沿って設けた後面材３３とを少なくとも具備する。棚板３１、側板３４、前面材３２及び後面材３３は、板金を折曲加工して作製したものである。
【００１５】
棚板３１は、側板３４の下端より浮上した高さ位置に支持させてあり、図３に示しているように、下面に複数のフック穴３１１を穿ってある。フック穴３１１は、幅方向に沿って間欠的に形成され、かつ前後方向に対をなして形成されている。これらフック穴３１１は、後述するオプション品３６、３７、３８を取り付けるために利用される。
【００１６】
前面材３２及び後面材３３は、一枚の板金を主体とする不透明な直立板であり、その下端部を略水平に屈曲させて棚板３１の下面に接合することで棚板３１に対して固定してある。本実施形態において、前面材３２、後面材３３はそれぞれ、左右に対をなす側板３４の対向面間距離の略半分の幅寸法を有し、図２に示しているように、双方が正面視略重なり合わないように相互に幅方向に偏倚している。図示例では、前面材３２を右方に、後面材３３を左方に配しており、棚板３１上の右半分の領域を前方より遮蔽しつつ左半分の領域を後方より遮蔽している。また、前面材３２、後面材３３の上端は、側板３４の上端に概略等しい高さ位置に設定してある。
【００１７】
なお、前面材３２または後面材３３を棚板３１に取り付けるに際して、フック穴３１１を利用することを妨げない。例えば、棚板３１の下面に接合する前面材３２、後面材３３の下端部の少なくとも一部分をフック穴３１１の近傍まで前後に延伸させておき（図示せず）、その延伸部分にフック穴３１１に対応した孔部を設け、これら孔部とフック穴３１１とを重合させた状態で樹脂ファスナ等を使用して前面材３２、後面材３３を棚板３１に固定する態様をとり得る。
【００１８】
前面材３２、後面材３３には、仕切板３５を装着するための取付孔３２１、３３１を幅方向に間欠的に穿ってある。取付孔３２１、３３１は、例えば、前面材３２、後面材３３を貫通する角孔とする。他方、仕切板３５は、例えば透明ないし半透明のアクリル板またはガラス板とし、前面材３２または後面材３３に穿たれた取付孔３２１、３３１に略対応する外周形状即ち角柱状をなす挿入端３５１を一辺より突出させておく。この挿入端３５１を取付孔３２１、３３１に挿入すれば、仕切板３５を前面材３２または後面材３３に装着することができる。
【００１９】
但し、前面材３２、後面材３３は、平板状をなしているとは限られず、その形状は種々に変形可能である。
【００２０】
既に述べたように、棚板３１の下面にはオプション品３６、３７、３８を取り付けることができる。オプション品の具体例としては、給電コードのプラグが差し込まれるコンセント３６、通信ケーブルのプラグが差し込まれるコネクタ３７、抽斗３８等を挙げることができる。コンセント３６、コネクタ３７は、略直方体状の外形をなし、その上面にフック爪（図示せず）を設けたものである。抽斗３８は、種々の物品を収納可能な抽斗本体３８１と、この抽斗本体３８１を奥行方向に沿ってスライド移動可能に支持する抽斗レール３８２とを備え、抽斗レール３８２の上端部にフック爪（図示せず）を設けたものである。図示例の抽斗３８は、前面材３２または後面材３３と略同等の幅寸法を有しているが、抽斗３８の幅はもっと大きくてもよく、あるいはもっと小さくてもよい。コンセント３６、コネクタ３７または抽斗３８はそれぞれ、フック爪を棚板３１下面のフック穴３１１に係合させることで棚板３１に支持させることが可能である。また、これらのオプション品は、言うまでもなく、フック爪を係合させるべきフック穴３１１を選択することを通じてその取付位置を適宜に変更可能である。各オプション品は、幅方向に沿った複数の取付箇所のうち何れかを選択して取り付けることができる。さらに、コンセント３６、コネクタ３７等は、棚板３１の前端側にも後端側にも取り付けることができる。抽斗３８であれば、抽斗本体３８１が前方に引き出されるような向きに取り付けてもよく、抽斗本体３８１が後方に引き出されるような向きに取り付けてもよい。
【００２１】
本実施形態の机上棚３は、対向配置した二基のデスクＤとともに用いることが好ましい。以降、机上棚３とともに用いられるデスクＤに関して述べる。図４、図５に例示しているデスクＤは、オフィス等において用いられるものであって、天板２と、天板２を下方より支持する家具本体１とを具備する。
【００２２】
家具本体１は、一方側にあって天板２を支持する脚側板１１と、他方側にあって天板２を支持する袖構造体１２と、後方にあって下肢空間を隠蔽する幕板１３とを主要な構成要素とする。
【００２３】
袖構造体１２は、天板２に一体的に結合した筐体１２１を主体とする。筐体１２１は、一または複数の抽斗１２２を収容し得る内部空間を内包する。筐体１２１の前面は開口し、内部空間と外部とを連通しているが、側方及び後方からは遮蔽している。抽斗１２２は、鏡板の後背に収納空間を包囲する底壁、側壁及び後壁を配設したもので、筐体１２１内に押し入れればその鏡板のみが正面に現れる状態となり、筐体１２１より引き出せば上方に開放した収納空間を露出させることができる。但し、家具本体１がこのような袖構造体１２を備えているとは限られず、両側に脚側板１１を配して天板２を支持するものとしても構わない。
【００２４】
幕板１３は、脚側板１１及び袖構造体１２の対向面間に固定してあるもので、その上端面を天板２下面よりも低い位置に設定して天板２と幕板１３との間に間隙を設けている。この間隙を利用すれば、天板２上に載置される各種の機器に接続するコード類を（後述する天板２の可撓部２２を介して）下肢空間に導き入れることが可能である。
【００２５】
脚側板１１の後面、袖構造体１２の後面及び幕板１３の後面は概ね面一となっており、家具本体１の後縁を規定している。
【００２６】
天板２は、平面視略矩形状の外形をなし、その後端を家具本体１の後縁よりも後方に突き出させてある。本実施形態では、この天板２の後端縁に、当接部２１と、可撓部２２とを設けている。
【００２７】
当接部２１は、他のデスク等の家具、パーティション等の什器または部屋の壁面に当接させ得る剛性を有する部位である。図示例では、天板本体２３の後端の一部を幅方向に沿って切り欠き、この切り欠いた部位に隣接している部位、即ち切り欠いていない部位を当接部２１としている。つまり、天板本体２３と当接部２１とは一体的に連続しているが、両者を別個の部材とすることを妨げない。当接部２１は、天板２における両側端部に設けており、かつ天板２の幅方向の中心軸に対称に配置してある。当接部２１の上面は、天板本体２３の上面と略面一とする。
【００２８】
可撓部２２は、当接部２１に隣接し、可撓性を有する部位である。図示例では、天板本体２３の後端の切り欠いた部位に、撓み変形容易な軟質樹脂を用いて作製した遮蔽部材を装着して可撓部２２を構成している。可撓部２２の具体的態様を、図６に示す。遮蔽部材２２は、天板２の幅方向に沿って延伸する側断面視中空な射出成形品で、例えば前方部位に比較的硬い樹脂を用い、その他の部位に比較的軟らかい樹脂を用いて二色成形してなる。遮蔽部材２２の前方部位には、互いに相寄るように上下に突出する突条２２１を形成してある。翻って、天板本体２３の後端を切り欠いた部位の後向面には、遮蔽部材２２を装着するためのブラケット２４を、ボルト等を使用して予め固定しておく。そして、遮蔽部材２２に形成した突条２２１をブラケット２４の上下端に係合させるようにして、遮蔽部材２２をブラケット２４に嵌め込み装着する。撓み変形していない状態で、可撓部２２の上面即ち遮蔽部材の上面は、天板本体２３の上面と略面一となる。なお、遮蔽部材２２の上面は平滑面であるとは限られない。図示例では、遮蔽部材２２の上面に凹溝２２２が彫られている。遮蔽部材２２の下面は水平方向に対して傾斜しており、遮蔽部材２２の外形の厚みは後方に向かうにつれて徐々に薄くなる。これにより、上から押された場合に遮蔽部材２２がスムーズに下方に撓み変形する。
【００２９】
なお、当接部２１の後縁と可撓部２２の後縁とは略一直線上に連続して天板２の後端縁を形作っている。
【００３０】
このデスクＤは、天板２の後端縁にある当接部２１を他のデスク等の家具、パーティション等の什器、または部屋の壁面に突き当てた状態に配置することで可撓部２２に覆われた配線口を簡便に構築できるという特長を有する。とりわけ、図４、図５に示しているように、同種のデスクＤの天板２の後端縁同士を突き合わせた状態に配置すれば、周縁の閉じた配線口を天板２面に現出させることができる。天板本体２３、当接部２１及び可撓部２２の各々の上面は略面一であり、総体として広大な作業領域を提供し得る。また、天板２の後端縁が家具本体１の後縁よりも後方に突き出ていることから、可撓部２２を介して天板２下に落とし込んだコード類を家具本体１の背後にある空間、即ち両デスクＤの幕板１３間に位置する領域に配線することも可能である。
【００３１】
しかして、本実施形態の机上棚３を用いるに際しては、後端同士を突き合わせて対向配置した二基のデスクＤの境界にこれを設置する。原則的には、机上棚３を、隣接している天板２上に載置する。このとき、必要であれば、机上棚３をデスクＤに対して保定することが好ましい。例えば、図５に示しているように、天板２の両側縁部における後端近傍の部位に上方に突出する支持金具２５を装着して固定し、この支持金具２５を予め側板３４の下面に形成した溝穴（図示せず）に挿入することによって机上棚３をデスクＤに保定する。
【００３２】
上述の如く天板２上に設置した机上棚３は、前後両方向より利用でき、各々のデスクＤを使用するユーザ間で共用することが可能である。何れのユーザが棚板３１上のどの領域を占有するかは、前面材３２及び後面材３３の配置によって規定される。即ち、棚板３１上の領域のうちの左半分は机上棚３を前方より使用するユーザのための領域となり、棚板３１上の領域のうちの右半分は机上棚３を後方より使用するユーザのための領域となる。そして、着座してデスクＤに臨む個々のユーザから見て、右手側に袖構造体１２が存在し、左手側に机上棚３の占有領域が存在している。言い換えるならば、ユーザから見て、物品を収納するための手段である袖構造体１２と机上棚３の占有領域とが相反する側に存在していることになる。このことは、デスクＤ及び机上棚３の使い勝手の向上に寄与する。また、各ユーザの占有領域を奥行方向にではなく幅方向に分割していることで、棚板３１を奥行方向に拡張する必要がなく、机上棚３が天板２上の作業領域を大きく圧迫してしまうことを回避できる。
【００３３】
並びに、机上棚３の棚板３１とデスクＤの天板２との間の空間領域が奥行方向に連通していることにより、コンセント３６、コネクタ３７や抽斗３８といったオプション部材を無理なく配設できるのみならず、各デスクＤの天板２の後端に形成されている（可撓部２２に被覆された）配線口を前後両方向より利用できるという効用も得られる。棚板３１下の空間領域には、コード類を自由に配線することが可能である。因みに、棚板３１と天板２との間の空間領域に、この空間領域を見た目上閉止する可撓性を有する部材（例えば、軟質樹脂財、布幕、刷毛等）を設けても構わない。
【００３４】
本実施形態によれば、デスクＤの天板２より浮上した高さ位置に支持されこの天板２との間の間隙を奥行方向に連通している棚板３１と、前記棚板３１の前端縁に沿って設けられ棚板３１の幅寸法よりも短小な幅をなす前面材３２と、前記棚板３１の後端側に沿って設けられ棚板３１の幅寸法よりも短小な幅をなしかつ一部または全部が前記前面材３２と正面視重なり合わないように位置づけられている後面材３３とを具備する机上棚３を構成したため、棚板３１に前後両方向より物品を載置することができる。しかも、前方より机上棚３を使用するユーザの占有領域と、後方より机上棚３を使用するユーザの占有領域とを、前面材３２及び後面材３３によって区画することが可能である。つまり、前面材３２によって遮蔽されない部位を前方より使用する領域とし、後面材３３によって遮蔽されない部位を後方より使用する領域とすることができる。従って、二基のデスクＤの天板２を突き合わせて対向配置し、その境界に当該机上棚３を設置することで、複数のユーザが好適に共用し得るものとなる。そして、二基のデスクＤの各々に個別の机上棚３を設置する必要性から解放されるため、天板２上の作業領域をより広く確保することが可能となる。並びに、棚板３１の直下にある空間領域を連通しているため、この空間領域を有効利用できる。即ち、この空間領域をコード類を配線するために利用でき、及び／または、オプション品３６、３７、３８を配設するために利用できる。
【００３５】
前記前面材３２及び前記後面材３３が不透明な直立板であるため、これら前面材３２及び後面材３３がユーザの視線を遮るデスクトップパネルとしての役割をも果たし得る。
【００３６】
左右両側に対をなす側脚によって前記棚板３１を支持させているため、無理なく棚板３１下の空間領域を奥行方向に連通させることができる。
【００３７】
前記側脚、前記前面材３２及び前記後面材３３のそれぞれの上端を概略同じ高さ位置に設定しているため、家具としての美観、格調が担保される。
【００３８】
前記棚板３１上の所定高さ範囲の領域が前記前面材３２及び前記後面材３３により幅方向の略全域に亘って正面視遮蔽されるため、机上棚３自体がデスクトップパネルとしても十分に機能するものとなり、別途デスクトップパネルをデスクＤに実装する必要がなくなる。
【００３９】
前記前面材３２または前記後面材３３に着脱自在に取り付けられる少なくとも一の仕切板３５を具備している、言い換えるならば仕切板３５を直接にまたは他の部材を介して間接に取り付けるための取付孔３２１、３３１を前面材３２、後面材３３に穿ってあるため、棚としての有用性がさらに高められる。
【００４０】
また、前記棚板３１の下面に着脱自在に取り付けられる少なくとも一のオプション品３６、３７、３８を具備している、言い換えるならばオプション品３６、３７、３８を直接にまたは他の部材を介して間接に取り付けるためのフック穴３１１を棚板３１に形成してあるため、オプション品３６、３７、３８に応じた機能を机上棚３に付帯させることが可能となり、デスクＤ自体にオプション機能を実装せずともよくなる。このことは、デスクＤ自体の製造コストを低減するためにも有効となる。
【００４１】
なお、本発明は以上に詳述した実施形態に限られるものではない。特に、前面材３２、後面材３３の配置は、上記実施形態におけるものには限られない。また、前面材３２及び／または後面材３３が複数に分かたれている態様を妨げない。
【００４２】
その他各部の具体的構成は上記実施形態に限られるものではなく、本発明の趣旨を逸脱しない範囲で種々変形が可能である。
【図面の簡単な説明】
【００４３】
【図１】本発明の一実施形態における机上棚を示す斜視図。
【図２】同正面図。
【図３】同下面図。
【図４】同実施形態の机上棚の使用例を示す斜視図。
【図５】同分解斜視図。
【図６】天板付家具の天板を示す要部側断面図。
【符号の説明】
【００４４】
Ｄ…天板付家具（デスク）
２…天板
３…机上棚
３１…棚板
３２…前面材
３３…後面材
３４…側板
３５…仕切板
３６、３７、３８…オプション品（コンセント、コネクタ、抽斗）
【図１】
2006095176.tif 000003
【図２】
2006095176.tif 000004
【図３】
2006095176.tif 000005
【図４】
2006095176.tif 000006
【図５】
2006095176.tif 000007
【図６】
2006095176.tif 000008